(57)【特許請求の範囲】
【請求項１】
画像を表示する複数のディスプレイパネルと、
前記複数のパネルのうち互いに隣接した一対のパネルのうち、少なくともいずれか一つのパネルの前面エッジまたは背面エッジで厚さ方向に形成される段差部と、
を備え、 
前記段差部で前記互いに隣接した一対のパネルが噛み合い、
前記互いに隣接した一対のパネルは、それぞれ第１ディスプレイ素子と第２ディスプレイ素子とを備え、前記第１ディスプレイ素子のピクセル境界と前記第２ディスプレイ素子のピクセル境界は前記厚さ方向に整列されたことを特徴とするマルチディスプレイ装置。
【請求項２】
前記互いに隣接した一対のパネルのうち、一方のパネルの背面エッジに前記段差部が設けられて、他方のパネルの前面エッジが前記段差部に入って噛み合うことを特徴とする請求項１に記載のマルチディスプレイ装置。
【請求項３】
前記互いに隣接した一対のパネルのうち、一方のパネルの前面エッジに前記段差部が設けられ、他方のパネルの背面エッジが前記段差部に入って噛み合うことを特徴とする請求項１に記載のマルチディスプレイ装置。
【請求項４】
前記互いに隣接した一対のパネルが互いに噛み合う部分に前記段差部がそれぞれ設けられたことを特徴とする請求項１に記載のマルチディスプレイ装置。
【請求項５】
前記互いに隣接した一対のパネルのうち、一方のパネルの背面エッジに前記段差部が設けられて、他方のパネルの前面エッジが前記一方のパネルの段差部に入って噛み合い、前記他方のパネルは、前記一方のパネルに比べて厚さが薄いことを特徴とする請求項１に記載のマルチディスプレイ装置。
【請求項６】
前記互いに隣接した一対のパネルのうち、一方のパネルの前面エッジに前記段差部が設けられて、他方のパネルの背面エッジが前記一方のパネルの段差部に入って噛み合い、前記他方のパネルは、前記一方のパネルに比べて厚さが薄いことを特徴とする請求項１に記載のマルチディスプレイ装置。
【請求項７】
前記互いに隣接した一対のパネルのうち、一方のパネルの背面エッジと他方のパネルの前面エッジとにそれぞれ前記段差部が設けられて両段差部同士で噛み合い、前記一方のパネルは、前記他方のパネルに比べて厚さが薄いことを特徴とする請求項１に記載のマルチディスプレイ装置。
【請求項８】
前記複数のパネルは、連結されて折り畳みタイプに構成されることを特徴とする請求項１〜７のうちいずれか１項に記載のマルチディスプレイ装置。
【請求項９】
前記互いに隣接した一対のパネルのうち一つは、第１基板と、前記第１基板上の前記第１ディスプレイ素子と、前記第１ディスプレイ素子を覆う第１カバーを備え、
前記互いに隣接した一対のパネルのうちもう一つは、第２基板と、該第２基板上の前記第２ディスプレイ素子、及び前記第２ディスプレイ素子を覆う第２カバーを備え、
前記第１基板及び前記第２基板は、それぞれ、前記各パネルの前面になり、前記第１カバー及び前記第２カバーは、それぞれ、前記各パネルの背面になるように組み立てられることを特徴とする請求項１〜７のうちいずれか１項に記載のマルチディスプレイ装置。
【請求項１０】
前記互いに隣接した一対のパネルのうち後方に位置するパネル上には、２つのパネル間の前面水平を合わせるための光学フィルムが設置されていることを特徴とする請求項１〜７のうちいずれか１項に記載のマルチディスプレイ装置。
【請求項１１】
前記段差部は、エッチング加工で形成されることを特徴とする請求項１〜７のうちいずれか１項に記載のマルチディスプレイ装置。
【請求項１２】
第１及び第２ディスプレイ素子がそれぞれ内蔵された隣接した一対のパネルを準備する工程と、 
前記一対のパネルのうち少なくとも一つの背面エッジまたは前面エッジに厚さ方向に段差部を形成する工程と、
前記段差部で前記一対のパネルを噛み合わせて前記第１ディスプレイ素子のピクセル境界と前記第２ディスプレイ素子のピクセル境界が前記厚さ方向に整列された一画面をなすように連結する工程と、
を含むことを特徴とするマルチディスプレイ装置の製造方法。
【請求項１３】
前記一対のパネルのうち一つのパネルの背面エッジに前記段差部を設け、前記一対のパネルのうちもう一つの前面エッジを前記段差部に位置させて前記一対のパネルを噛み合わせることを特徴とする請求項１２に記載のマルチディスプレイ装置の製造方法。
【請求項１４】
前記一対のパネルのうち一つのパネルの前面エッジに前記段差部を設け、前記一対のパネルのうちもう一つの背面エッジを前記段差部に位置させて前記一対のパネルを噛み合わせることを特徴とする請求項１２に記載のマルチディスプレイ装置の製造方法。
【請求項１５】
前記一対のパネルのうち一つのパネルの背面エッジと前記一対のパネルのうちもう一つの前面エッジとにそれぞれ前記段差部を設け、前記両段差部同士で噛み合わせて前記一対のパネルを連結することを特徴とする請求項１２に記載のマルチディスプレイ装置の製造方法。
【請求項１６】
前記一対のパネルは、連結されて折り畳みタイプに構成されることを特徴とする請求項１２〜１５のうちいずれか１項に記載のマルチディスプレイ装置の製造方法。
【請求項１７】
前記一対のパネルのうち少なくとも一つの前面全体をエッチングして厚さを薄くする工程をさらに含むことを特徴とする請求項１２〜１５のうちいずれか１項に記載のマルチディスプレイ装置の製造方法。
【請求項１８】
前記一対のパネルを準備する工程は、１基板上に第１及び第２ ディスプレイ素子を並べて積層し、分離壁が設けられたカバーで前記第１及び第２ディスプレイ素子を覆った後、その分離壁部位をカットして２つのパネルに分離する工程を含み、
前記段差部形成工程は、前記分離工程後に行われることを特徴とする請求項１２〜１５のうちいずれか１項に記載のマルチディスプレイ装置の製造方法。
【請求項１９】
前記一対のパネルを準備する工程は、１基板上に前記第１及び第２ディスプレイ素子を並べて積層し、分離壁が設けられたカバーで前記第１及び第２ディスプレイ素子を覆う工程を含み、
前記段差部形成工程は、前記一対のパネルを分離していない状態でエッチングして前記段差部を形成し、
前記一対のパネルの連結工程は、前記分離壁に沿ってカットして２つのパネルに分離した後、前記段差部で噛み合うように連結することを特徴とする請求項１２〜１５のうちいずれか１項に記載のマルチディスプレイ装置の製造方法。
【請求項２０】
前記一対のパネル間のオーバーラップによる前面高さを合わせるために、相対的に後方に位置するパネルに光学フィルムを設置する工程をさらに含むことを特徴とする請求項１２〜１５のうちいずれか１項に記載のマルチディスプレイ装置の製造方法。 
【発明の詳細な説明】
【技術分野】
【０００１】
本発明は、複数のパネルを連結して画面を具現するマルチディスプレイ装置とその製造方法に係り、特に、継ぎ目での画面断絶感を最小化できるように改善されたマルチディスプレイ装置及びその製造方法に関する。
【背景技術】
【０００２】
一般的にマルチディスプレイ装置は、複数のディスプレイパネルを連結して大画面を具現した装置をいう。初期には展示用大型ＴＶのようにブラウン管を複数連結して大画面を作ることから始まったが、最近では携帯電話やＰＤＡ（Ｐｅｒｓｏｎａｌ  Ｄｉｇｉｔａｌ  Ａｓｓｉｓｔａｎｔｓ）のような小型携帯装置でも大きい画面への要求が増えつつあり、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）、ＯＬＥＤ（Ｏｒｇａｎｉｃ  Ｌｉｇｈｔ−Ｅｍｉｔｔｉｎｇ  Ｄｉｏｄｅ）のような平板ディスプレイパネルを連結して大画面を具現した装置が発売されている。
【０００３】
従来、このようなマルチディスプレイ装置を作る時、単位パネルを平行に並べて連結して作ることが最も一般的な方式であった。すなわち、複数の単位パネルを準備し平行に並べて連結したマルチ画面を具現するのである。ところが、このように単位パネルを連結すれば、２つのパネル間の継ぎ目において画像が自然に連続せず、切れ目の存在を意識させる恐れがある。
【０００４】
このような問題を解消するために、２つの単位パネルを上下に配置し、２つのパネル間の画素境界面をユーザの視覚で連続して見られるように整合する構造が提案されている。
ところが、このように上下にパネルを配置すれば、画面の連続性を確保するには有利であるが、製品が厚くなるという短所が生じる。最近のディスプレイ製品が薄型・軽量・小型化を追求する傾向であることを考慮すると、このように製品が厚くなることは製品の競争力を落とす要因となる。したがって、製品の競争力を確保するためには、継ぎ目での画面の不連続感を克服しつつもスリムにするマルチディスプレイ装置が要求されている。
【発明の開示】
【発明が解決しようとする課題】
【０００５】
本発明は前述したような必要性に鑑みてなされたものであり、製品が厚くならずに継ぎ目での画面の不連続感を緩和させうるマルチディスプレイ装置及びその製造方法を提供するところに目的がある。
【課題を解決するための手段】
【０００６】
前述したような目的を達成するための本発明のマルチディスプレイ装置は、画像を表示する複数のディスプレイパネルと、前記複数のパネルのうち互いに隣接した一対のパネルのうち、少なくともいずれか一方に厚さ方向に埋め込まれるように形成される段差部とを備え、前記段差部で２つのパネルが噛み合うことを特徴とする。
前述したような目的を達成するための本発明のマルチディスプレイ装置の製造方法は、それぞれディスプレイ素子を内蔵する２つのパネルを準備する工程と、前記２つのパネルのうち少なくとも一方に厚さ方向に埋め込まれた段差部を形成する工程と、その段差部で前記２つのパネルを噛み合わせて一画面をなすように連結する工程とを含むことを特徴とする。
【発明の効果】
【０００７】
本発明のマルチディスプレイ装置とその製造方法によれば、パネル間の継ぎ目での画面の不連続感も改善され、製品もあまり厚くないので、スリム化に有利な高品質のマルチディスプレイ装置を作ることができる。
【発明を実施するための最良の形態】
【０００８】
以下、添付した図面を参照して本発明の実施形態について詳細に説明する。
図１は、本発明の第１実施形態によるマルチディスプレイ装置を図示したものである。マルチディスプレイ装置は、画像を表示する複数のディスプレイパネルを多様な方法で連結して作ることができるが、ここでは説明の便宜のために２つのディスプレイパネル１１０、１２０のみ連結する場合を例として説明する。そして、画像を具現するディスプレイ素子１１２、１２２は簡略化して図示する。
【０００９】
まず、各パネル１１０、１２０は、図１に示したように基板１１１、１２１上に画像具現のためのディスプレイ素子１１２、１２２が積層され、カバー１１３、１２３が基板１１１、１２１に付着されてディスプレイ素子１１２、１２２を取り囲む構造となっている。したがって、上向き発光タイプならば、ディスプレイ素子１１２、１２２が作った映像がカバー１１３、１２３を通じてディスプレイされ、下向き発光タイプならば、基板１１１、１２１を通じてディスプレイされる。ここでは下向き発光タイプを例示する。
【００１０】
そして、本実施形態では２つのパネル１１０、１２０が上下に位置してディスプレイ素子１１２、１２２同士で連結されるだけでなく、２つのパネル１１０、１２０が厚さ方向に一部オーバーラップしている。すなわち、従来では２つのパネル１１０、１２０を上下に積層されるように配置しただけで、平行に並べて配置する場合に比べて製品の厚さが２倍以上厚くなるが、本発明のマルチディスプレイ装置は、２つのパネル１１０、１２０を厚さ方向に一部オーバーラップさせて製品全体の厚さを薄くしたものである。このために本実施形態では、２つのパネル１１０、１２０のうち、前方に位置するパネル１１０の背面、すなわち、カバー１１３のエッジに厚さ方向に埋め込まれた段差部Ｓを作り、後方に位置するパネル１２０の前面エッジを段差部Ｓに位置させて、２つのパネル１１０、１２０が一画面に連結されるように構成する。これにより、段差部Ｓの埋め込み厚さ分だけ２つのパネル１１０、１２０がオーバーラップし、全体的な製品の厚さを小さくすることができる。ここで、前方と後方とは、ユーザが画面を眺める視覚を基準に近い方向を前方、遠い方向（深い方向）を後方という。
【００１１】
このような構造は、図２Ａ〜図２Ｄの工程を通じて製造される。
まず、図２Ａに示したように一基板１１１、１２１上に２つのディスプレイ素子１１２、１２２が並んで積層され、その上を分離壁１０２のあるカバー１１３、１２３が覆っているパネル１１０、１２０を備える。そして、これを図２Ｂのように分離壁１０２の中心に沿ってカットして２つのパネル１１０、１２０に分離する。この状態で２つのパネル１１０、１２０のうち、前方に位置するパネル１１０をエッチングして厚さ方向に埋め込まれた段差部Ｓを作る。すなわち、分離された２つのパネル１１０、１２０のうち、前方に位置するパネル１１０のカバー１１３のエッジをエッチングして図２Ｃのようにエッチングする。そして、図２Ｄに示したように、段差部Ｓにパネル１２０の前方エッジが位置するように２つのパネル１１０、１２０を配置する。この時、２つのパネル１１０、１２０のディスプレイ素子１１２、１２２の境界面を同じ線Ｌ上に位置させる。それにより、２つのパネル１１０、１２０が厚さ方向にオーバーラップするとともに全体厚さが２つのパネル１１０、１２０それぞれの厚さを合わせたものより薄くなる。折り畳み型で装置を作るならば、広げた時に図２Ｄのようになるように２つのパネル１１０、１２０をヒンジ結合させればよい。したがって、このような方式によれば、継ぎ目での画像の不連続感の改善だけでなく、製品の厚さが非常に厚くなるという問題も解消できる。そして、２つのパネル１１０、１２０間の前後方の高さ差を合わせるために、相対的に低い側のパネルに光学フィルム１０１を設置して高さを均一に合わせることができる。
【００１２】
一方、前述の例では、２つのパネル１１０、１２０をカットして分離した後、エッチングを行って段差部Ｓを形成する場合を例としたが、逆に段差部Ｓを形成するためのエッチングを先ず行ってから、２つのパネル１１０、１２０を分離してもよい。図３Ａ〜図３Ｄは、エッチングを先ず行う場合の製造過程を示したものであるが、一旦、図３Ａのように分離前状態のパネル１１０、１２０を準備するのは、先に例示した場合と同じである。ところで、ここで直ちに２つのパネル１１０、１２０にカットするものではなく、図３Ｂに示したようにエッチングを先ず行ってパネル１１０のカバー１１３の一部分をエッチングする。次いで、図３Ｃのように二つのパネル１１０、１２０にカットした後、図３Ｄのようにエッチングで形成された段差部Ｓを利用して２つのパネル１１０、１２０を連結し、相対的に後方に位置するパネル１２０に光学フィルム１０１を設置すれば、前述したような構造とすることができる。
【００１３】
図４は、本発明の第２実施形態によるマルチディスプレイ装置を図示したものである。
本実施形態では、２つのパネル１１０、１２０のうち、後方に位置するパネル１２０の前面、すなわち、基板１２１のエッジをエッチングして段差部Ｓを作り、前方に位置するパネル１１０の背面エッジをその段差部Ｓに位置させて、２つのパネル１１０、１２０が１つの画面に連結されるように構成する。これにより、段差部Ｓの埋め込み厚さ分だけ２つのパネル１１０、１２０がオーバーラップしている。
【００１４】
このような構造も、２つのパネル１１０、１２０を先ずカットしてエッチングする方法と、エッチング後にカットする２つの方法で作ることができるが、先ずカット後にエッチングする方式を利用する場合は、図５Ａ〜図５Ｄの工程を通じて製造される。
図５Ａに示したように、一基板１１１、１２１上に２つのディスプレイ素子１１２、１２２が並んで積層され、その上を分離壁１０２のあるカバー１１３、１２３が覆っているパネル１１０、１２０を備える。そして、これを図５Ｂのように分離壁１０２の中心に沿ってカットして２つのパネル１１０、１２０に分離する。この状態で２つのパネル１１０、１２０のうち、後方に位置するパネル１２０をエッチングして厚さ方向にオーバーラップする段差部Ｓを作る。すなわち、分離された２つのパネル１１０、１２０のうち、後方に位置するパネル１２０の基板１２１エッジをエッチングして図５Ｃのようにエッチングする。そして、図５Ｄに示したように、段差部Ｓにパネル１１０の後方エッジが位置するように２つのパネル１１０、１２０を配置する。この時、２つのパネル１１０、１２０のディスプレイ素子１１２、１２２の境界面を同じ線Ｌ上に位置させる。これにより、２つのパネル１１０、１２０が厚さ方向にオーバーラップするとともに全体厚さが、２つのパネル１１０、１２０それぞれの厚さを合わせたものより薄くなる。そして、２つのパネル１１０、１２０間の高さ差を合わせるために、光学フィルム１０１を相対的に後方に位置するパネル１２０に設置して高さを均一に合わせることができる。
【００１５】
一方、エッチングを先ず行って２つのパネル１１０、１２０を分離する方法を利用する場合、図６Ａ〜図６Ｄの過程で工程が進められる。
一旦、図６Ａのように分離前状態のパネル１１０、１２０を準備するのは先に例示した場合と同じである。次いで、直ちに２つのパネル１１０、１２０にカットするものではなく、図６Ｂに示したようにエッチングを先ず行って一方のパネル１２０の基板１２１に段差部Ｓを形成する。次いで、図６Ｃのように２つのパネル１１０、１２０にカットした後、図６Ｄのように段差部Ｓを利用して２つのパネル１１０、１２０を連結し、光学フィルム１０１を設置すれば、前述したような構造が設けられる。
【００１６】
次いで、図７は、本発明の第３実施形態によるマルチディスプレイ装置を図示したものである。
本実施形態では、２つのパネル１１０、１２０のエッジをそれぞれエッチングして段差部Ｓを作り、その段差部Ｓ同士で噛み合うように２つのパネル１１０、１２０を配置して一画面に連結されるように構成する。すなわち、前述した第１、２実施形態では２つのパネル１１０、１２０のうち一方にのみ段差部Ｓを作ったが、本実施形態では２つのパネル１１０、１２０いずれにも段差部Ｓを作って連結したものである。
【００１７】
このような構造も同じく２つのパネルを先ずカットしてエッチングする方法と、エッチング後にカットする２つ方法とで作ることができる。先ずカット後にエッチングする方式を利用する場合には、図８Ａ〜図８Ｄの工程を通じて製造することができる。
まず、図８Ａに示したように一基板１１１、１２１上に２つのディスプレイ素子１１２、１２２が並んで積層され、その上を分離壁１０２のあるカバー１１３、１２３が覆っているパネル１１０、１２０を設ける。そして、これを図８Ｂのように分離壁１０２の中心に沿ってカットして２つのパネル１１０、１２０に分離する。この状態で２つのパネル１１０、１２０のうち、後方に位置するパネル１２０の前面に該当する基板１２１のエッジと、前方に位置するパネル１１０の背面に該当するカバー１１３のエッジとをそれぞれエッチングして、図８Ｃのように段差部Ｓを作る。そして、図８Ｄに示したように、２つのパネル１１０、１２０を段差部Ｓ同士で噛み合うように連結すれば、２つのパネル１１０、１２０のディスプレイ素子１１２、１２２同士で連結されることはもとより、連結された状態で全体的な厚さも２つのパネル１１０、１２０それぞれの厚さを合わせたものより薄くなる。２つのパネル１１０、１２０間の高さ差を合わせるために、光学フィルム１０１を相対的に後方に位置するパネル１２０側に設置する。
【００１８】
一方、エッチングを先ず行って２つのパネル１１０、１２０を分離する方法を利用する場合、図９Ａ〜図９Ｄの工程により作成することができる。
一旦、図９Ａのように分離前状態のパネル１１０、１２０を準備する。次いで、図９Ｂに示したようにエッチングを先ず行って、両側パネル１１０、１２０のエッジをそれぞれエッチングして段差部Ｓを形成する。次いで、図９Ｃのように２つのパネル１１０、１２０にカットした後、図９Ｄのように段差部Ｓ同士で噛み合うように２つのパネル１１０、１２０を連結し、パネル１２０に光学フィルム１０１を設置すれば、前述したような構造とすることができる。
【００１９】
図１０は、本発明の第４実施形態によるマルチディスプレイ装置を図示したものである。本実施形態では、２つのパネル１１０、１２０のうち、前方に位置するパネル１１０の背面、すなわち、カバー１１３のエッジをエッチングして段差部Ｓを作り、後方に位置するパネル１２０は、前面となる基板１２１の全面をエッチングして薄くなるようにスリム加工した後、スリム加工されたパネル１２０の前面エッジがパネル１１０の段差部Ｓに噛み合うように配置して、２つのパネル１１０、１２０を一画面に連結するように構成する。
【００２０】
このような構造も同じく、２つのパネルを先ずカットしてエッチングする方法と、エッチング後にカットする２つの方法で作ることができる。先ずカット後にエッチングする方式を利用する場合には、図１１Ａ〜図１１Ｄの工程を通じて製造される。
まず、図１１Ａに示したように、一基板１１１、１２１上に２つのディスプレイ素子１１２、１２２が並んで積層され、その上を分離壁１０２のあるカバー１１３、１２３が覆っているパネル１１０、１２０を準備する。そして、これを図１１Ｂのように分離壁１０２の中心に沿ってカットして２つのパネル１１０、１２０に分離する。この状態で図１１Ｃのように、前方に位置するパネル１１０のカバー１１３をエッチングして厚さ方向に埋め込まれた段差部Ｓを作る。そして、後方に位置するパネル１２０は、基板１２１の前面をエッチングして厚さを薄くする。そして、図１１Ｄに示したように、段差部Ｓにパネル１２０の前方エッジが位置するように２つのパネル１１０、１２０を配置する。この時、２つのパネル１１０、１２０のディスプレイ素子１１２、１２２の境界面を同じ線Ｌ上に位置させる。それにより、２つのパネル１１０、１２０が厚さ方向にオーバーラップするとともに全体厚さが２つのパネル１１０、１２０それぞれの厚さを合わせたものより薄くなる。もちろん、装置を折り畳み型に作るならば、広げた時に図１１Ｄのようになるように２つのパネル１１０、１２０をヒンジ結合させればよい。したがって、このような方式によれば、継ぎ目での画像の不連続感の改善だけでなく、製品の厚さが非常に厚くなる問題も解消できる。そして、２つのパネル１１０、１２０間の前後方の高さ差を合わせるために、相対的に後方に位置するパネル１２０に光学フィルム１０１を設置する。
【００２１】
一方、エッチングを先ず行って２つのパネル１１０、１２０を分離する方法を利用する場合、図１２Ａ〜図１２Ｄの過程で工程が進められる。一旦、図１２Ａのように分離前状態のパネル１１０、１２０を備えることは、先に例示した場合と同じである。ところが、ここで直ちに２つのパネル１１０、１２０にカットするものではなく、図１２Ｂに示したようにエッチングを先ず行って一方のパネル１１０のカバー１１３に厚さ方向に埋め込まれた段差部Ｓを作り、他パネル１２０の基板１２１の前面をエッチングする。次いで、図１２Ｃのように２つのパネル１１０、１２０にカットした後、図１２Ｄのようにパネル１１０の段差部Ｓにパネル１２０の前方エッジが位置するように２つのパネル１１０、１２０を連結し、パネル１２０に光学フィルム１０１を設置すれば、前述したような構造とすることができる。
【００２２】
次いで、図１３は、本発明の第５実施形態によるマルチディスプレイ装置を図示したものである。
本実施形態では、２つのパネル１１０、１２０のうち、後方に位置するパネル１２０の前面、すなわち、基板１２１のエッジをエッチングして厚さ方向に埋め込まれた段差部Ｓを作り、前方に位置するパネル１１０は、前面となる基板１１１の全面をエッチングして薄くなるようにスリム加工した後、前方パネル１１０の背面エッジを後方パネル１２０の段差部Ｓに噛み合わせて、２つのパネル１１０、１２０が一画面に連結されるように構成する。
【００２３】
このような構造も同様に２つのパネルを先ずカットしてエッチングする方法と、エッチング後にカットする２つ方法で作ることができる。先ずカット後にエッチングする方式を利用する場合には、図１４Ａ〜図１４Ｄの工程を通じて製造される。
まず、図１４Ａに示したように、一基板１１１、１２１上に２つのディスプレイ素子１１２、１２２が並んで積層され、その上を分離壁１０２のあるカバー１１３、１２３が覆っているパネル１１０、１２０を備える。そして、これを図１４Ｂのように分離壁１０２の中心に沿ってカットして２つのパネル１１０、１２０に分離する。分離された２つのパネル１１０、１２０をエッチングして、図１４Ｃのように後方に位置するパネル１２０は基板１２１のエッジに段差部Ｓを作り、前方に位置するパネル１１０は基板１１１の前面をエッチングする。そして、２つのパネル１１０、１２０を図１４Ｄのように段差部Ｓでオーバーラップするように配置すれば、２つのパネル１１０、１２０のディスプレイ素子１１２、１２２同士で連結されることはもとより、２つのパネル１１０、１２０同士も厚さ方向にオーバーラップするとともに既存のものに比べて全体厚さが薄くなる。したがって、このような方式によれば、継ぎ目での画像の不連続感の改善だけでなく、製品が非常に厚くなる問題も解消できる。そして、２つのパネル１１０、１２０間の前後方の高さ差を合わせるために、光学フィルム１０１を相対的に低いパネル１２０方向に設置する。
【００２４】
一方、エッチングを先ず行って２つのパネル１１０、１２０を分離する方法を利用する場合、図１５Ａ〜図１５Ｄの過程で工程が進められる。一旦、図１５Ａのように分離前状態のパネル１１０、１２０を備える。次いで、図１５Ｂに示したようにエッチングを先ず行って後方パネル１２０の基板１２１のエッジに段差部Ｓを作り、前方パネル１１０の基板の前面全体をスリム加工する。次いで、図１５Ｃのように２つのパネル１１０、１２０にカットした後、図１５Ｄのように２つのパネル１１０、１２０を段差部Ｓで噛み合うように連結し、パネル１２０に光学フィルム１０１を設置すれば、前述したような構造が設けられる。
【００２５】
次いで、図１６は、本発明の第６実施形態によるマルチディスプレイ装置を図示したものである。
本実施形態では、２つのパネル１１０、１２０のうち、後方に位置するパネル１２０の前面に該当する基板１２１のエッジと、前方に位置するパネル１１０の背面に該当するカバー１１３のエッジとをそれぞれエッチングして段差部Ｓを作り、前方に位置するパネル１１０は基板１１１の前面もエッチングでスリム加工して、２つのパネル１１０、１２０が段差部Ｓ同士で噛み合いつつ１画面に連結されるように構成した。
【００２６】
このような構造も２つのパネルを先ずカットしてエッチングする方法と、エッチング後にカットする２つの方法で作ることができる。先ずカット後にエッチングする方式を利用する場合には、図１７Ａ〜図１７Ｄの工程を通じて製造される。
すなわち、図１７Ａのようにパネル１１０、１２０を備えて図１７Ｂのようにカットし、エッチング過程を通じて図１７Ｃに示したように、前方パネル１１０は基板１１１前面とカバー１１３の一部を、後方パネル１２０は基板１２１の一部をエッチングする。そして、図１７Ｄのように段差部Ｓで２つのパネル１１０、１２０がオーバーラップするように配置する。基本的な過程は前述した例と同じであるが、但し、ここでは前方に配置されるパネル１１０の基板１１１をエッチングするため、２つのパネル１１０、１２０間の高さ差が相対的に少なくなる。したがって、敢えて光学フィルム１０１を設置して高さ差を合わせなくても画像を具現するのにあまり問題にならない。もちろん、光学フィルム１０１を設置してもよい。
【００２７】
そして、本実施形態のマルチディスプレイ装置も、２つのパネル１１０、１２０を分離する前にエッチングを先ず行う方式で製造される。すなわち、図１８Ａに示したように分離前状態のパネル１１０、１２０を備えて、図１８Ｂのように一方のパネル１１０の基板１１１の前面をスリム加工し、カバー１１３の一部分をエッチングして段差部Ｓを作り、他パネル１２０の基板１２１の一部をエッチングして段差部Ｓを作る。次いで、カット工程によって図１８Ｃのように２つのパネル１１０、１２０に分離した後に連結すれば、図１８Ｄのような構造が設けられる。
【００２８】
したがって、以上のような方法を通じて２つのパネル１１０、１２０を連結してマルチディスプレイ装置を作れば、ディスプレイ素子１１２、１２２間の連結により画面の不連続性が改善されることはもとより、その厚さも既存のものに比べて薄くなって製品のスリム化を図ることができる。
図１９Ａ及び図１９Ｂは、前述した例のマルチディスプレイ装置を折り畳み型に構成した例を示したものである。２つのパネル１１０、１２０が図１９Ａ及び図１９Ｂに示したように、ヒンジ軸Ｈを中心に折り畳めて広げることができる折り畳み型に連結されてマルチ画面をなす。すなわち、図１９Ｂのように折り畳んだ状態から図１９Ａのように広げれば、２つの単位パネル１１０、１２０が前述した実施形態のように上下方向に配置されるように構成されている。これは、前述したように２つのパネル１１０、１２０の継ぎ目を垂直上方から見た時、ディスプレイ素子１１２、１２２の境界面同士で重ねることによって画面を連続したように見せるためである。
【００２９】
一方、ここで記述されたディスプレイ素子１２０としては、ＬＣＤ、ＦＥＤ、ＰＤＰ、ＯＬＥＤのような平板ディスプレイ用素子がいずれも該当する。
【産業上の利用可能性】
【００３０】
本発明は、ＴＶ、携帯電話やＰＤＡなどのマルチディスプレイ装置に好適に用いられる。
【図面の簡単な説明】
【００３１】
【図１】本発明の第１実施形態によるパネルの連結構造が採用されたマルチディスプレイ装置を示す図面である。
【図２Ａ】図１に図示されたパネル連結構造を作る過程を示す図面である。
【図２Ｂ】図１に図示されたパネル連結構造を作る過程を示す図面である。
【図２Ｃ】図１に図示されたパネル連結構造を作る過程を示す図面である。
【図２Ｄ】図１に図示されたパネル連結構造を作る過程を示す図面である。
【図３Ａ】図１に図示されたパネル連結構造を作る過程を示す図面である。
【図３Ｂ】図１に図示されたパネル連結構造を作る過程を示す図面である。
【図３Ｃ】図１に図示されたパネル連結構造を作る過程を示す図面である。
【図３Ｄ】図１に図示されたパネル連結構造を作る過程を示す図面である。
【図４】本発明の第２実施形態によるパネルの連結構造が採用されたマルチディスプレイ装置を示す図面である。
【図５Ａ】図４に図示されたパネル連結構造を作る過程を示す図面である。
【図５Ｂ】図４に図示されたパネル連結構造を作る過程を示す図面である。
【図５Ｃ】図４に図示されたパネル連結構造を作る過程を示す図面である。
【図５Ｄ】図４に図示されたパネル連結構造を作る過程を示す図面である。
【図６Ａ】図４に図示されたパネル連結構造を作る過程を示す図面である。
【図６Ｂ】図４に図示されたパネル連結構造を作る過程を示す図面である。
【図６Ｃ】図４に図示されたパネル連結構造を作る過程を示す図面である。
【図６Ｄ】図４に図示されたパネル連結構造を作る過程を示す図面である。
【図７】本発明の第３実施形態によるパネルの連結構造が採用されたマルチディスプレイ装置を示す図面である。
【図８Ａ】図７に図示されたパネル連結構造を作る過程を示す図面である。
【図８Ｂ】図７に図示されたパネル連結構造を作る過程を示す図面である。
【図８Ｃ】図７に図示されたパネル連結構造を作る過程を示す図面である。
【図８Ｄ】図７に図示されたパネル連結構造を作る過程を示す図面である。
【図９Ａ】図７に図示されたパネル連結構造を作る過程を示す図面である。
【図９Ｂ】図７に図示されたパネル連結構造を作る過程を示す図面である。
【図９Ｃ】図７に図示されたパネル連結構造を作る過程を示す図面である。
【図９Ｄ】図７に図示されたパネル連結構造を作る過程を示す図面である。
【図１０】本発明の第４実施形態によるパネルの連結構造が採用されたマルチディスプレイ装置を示す図面である。
【図１１Ａ】図１０に図示されたパネル連結構造を作る過程を示す図面である。
【図１１Ｂ】図１０に図示されたパネル連結構造を作る過程を示す図面である。
【図１１Ｃ】図１０に図示されたパネル連結構造を作る過程を示す図面である。
【図１１Ｄ】図１０に図示されたパネル連結構造を作る過程を示す図面である。
【図１２Ａ】図１０に図示されたパネル連結構造を作る過程を示す図面である。
【図１２Ｂ】図１０に図示されたパネル連結構造を作る過程を示す図面である。
【図１２Ｃ】図１０に図示されたパネル連結構造を作る過程を示す図面である。
【図１２Ｄ】図１０に図示されたパネル連結構造を作る過程を示す図面である。
【図１３】本発明の第５実施形態によるパネルの連結構造が採用されたマルチディスプレイ装置を示す図面である。
【図１４Ａ】図１３に図示されたパネル連結構造を作る過程を示す図面である。
【図１４Ｂ】図１３に図示されたパネル連結構造を作る過程を示す図面である。
【図１４Ｃ】図１３に図示されたパネル連結構造を作る過程を示す図面である。
【図１４Ｄ】図１３に図示されたパネル連結構造を作る過程を示す図面である。
【図１５Ａ】図１３に図示されたパネル連結構造を作る過程を示す図面である。
【図１５Ｂ】図１３に図示されたパネル連結構造を作る過程を示す図面である。
【図１５Ｃ】図１３に図示されたパネル連結構造を作る過程を示す図面である。
【図１５Ｄ】図１３に図示されたパネル連結構造を作る過程を示す図面である。
【図１６】本発明の第６実施形態によるパネルの連結構造が採用されたマルチディスプレイ装置を示す図面である。
【図１７Ａ】図１６に図示されたパネル連結構造を作る過程を示す図面である。
【図１７Ｂ】図１６に図示されたパネル連結構造を作る過程を示す図面である。
【図１７Ｃ】図１６に図示されたパネル連結構造を作る過程を示す図面である。
【図１７Ｄ】図１６に図示されたパネル連結構造を作る過程を示す図面である。
【図１８Ａ】図１６に図示されたパネル連結構造を作る過程を示す図面である。
【図１８Ｂ】図１６に図示されたパネル連結構造を作る過程を示す図面である。
【図１８Ｃ】図１６に図示されたパネル連結構造を作る過程を示す図面である。
【図１８Ｄ】図１６に図示されたパネル連結構造を作る過程を示す図面である。
【図１９Ａ】本発明によるマルチディスプレイ装置が採用された折り畳み型装置の外観を示す図面である。
【図１９Ｂ】本発明によるマルチディスプレイ装置が採用された折り畳み型装置の外観を示す図面である。
【符号の説明】
【００３２】
１０２  分離壁
１１０、１２０  ディスプレイパネル
１１１、１２１  基板
１１２、１２２  ディスプレイ素子
１１３、１２３  カバー
Ｓ  段差部
Ｈ  ヒンジ軸
【図１】
0005408858.tif 000002
【図２Ａ】
0005408858.tif 000003
【図２Ｂ】
0005408858.tif 000004
【図２Ｃ】
0005408858.tif 000005
【図２Ｄ】
0005408858.tif 000006
【図３Ａ】
0005408858.tif 000007
【図３Ｂ】
0005408858.tif 000008
【図３Ｃ】
0005408858.tif 000009
【図３Ｄ】
0005408858.tif 000010
【図４】
0005408858.tif 000011
【図５Ａ】
0005408858.tif 000012
【図５Ｂ】
0005408858.tif 000013
【図５Ｃ】
0005408858.tif 000014
【図５Ｄ】
0005408858.tif 000015
【図６Ａ】
0005408858.tif 000016
【図６Ｂ】
0005408858.tif 000017
【図６Ｃ】
0005408858.tif 000018
【図６Ｄ】
0005408858.tif 000019
【図７】
0005408858.tif 000020
【図８Ａ】
0005408858.tif 000021
【図８Ｂ】
0005408858.tif 000022
【図８Ｃ】
0005408858.tif 000023
【図８Ｄ】
0005408858.tif 000024
【図９Ａ】
0005408858.tif 000025
【図９Ｂ】
0005408858.tif 000026
【図９Ｃ】
0005408858.tif 000027
【図９Ｄ】
0005408858.tif 000028
【図１０】
0005408858.tif 000029
【図１１Ａ】
0005408858.tif 000030
【図１１Ｂ】
0005408858.tif 000031
【図１１Ｃ】
0005408858.tif 000032
【図１１Ｄ】
0005408858.tif 000033
【図１２Ａ】
0005408858.tif 000034
【図１２Ｂ】
0005408858.tif 000035
【図１２Ｃ】
0005408858.tif 000036
【図１２Ｄ】
0005408858.tif 000037
【図１３】
0005408858.tif 000038
【図１４Ａ】
0005408858.tif 000039
【図１４Ｂ】
0005408858.tif 000040
【図１４Ｃ】
0005408858.tif 000041
【図１４Ｄ】
0005408858.tif 000042
【図１５Ａ】
0005408858.tif 000043
【図１５Ｂ】
0005408858.tif 000044
【図１５Ｃ】
0005408858.tif 000045
【図１５Ｄ】
0005408858.tif 000046
【図１６】
0005408858.tif 000047
【図１７Ａ】
0005408858.tif 000048
【図１７Ｂ】
0005408858.tif 000049
【図１７Ｃ】
0005408858.tif 000050
【図１７Ｄ】
0005408858.tif 000051
【図１８Ａ】
0005408858.tif 000052
【図１８Ｂ】
0005408858.tif 000053
【図１８Ｃ】
0005408858.tif 000054
【図１８Ｄ】
0005408858.tif 000055
【図１９Ａ】
0005408858.tif 000056
【図１９Ｂ】
0005408858.tif 000057